(57)【要約】【課題】引起装置を上昇回動させることによって掻込装置や刈刃装置の前側を開放して、刈取装置内部の穀稈の詰まりなどを容易に除去できるものとして、刈取作業の能率を向上させる。【解決手段】無限軌道帯式の走行装置（２）の上側に脱穀装置（３）を設け、該脱穀装置（３）の前側に刈取装置（６）を設け、該刈取装置（６）の前側から順に分草体（３７）と引起装置（３９）と掻込装置（４０，５３）及び刈刃装置（３５）を設け、前記引起装置（３９）を該引起装置（３９）の上部側を支点として刈取装置（６）本体に対して上昇回動可能に取り付け、前記分草体（３７）を刈取装置（６）本体に対して前方回動可能に取り付け、該分草体（３７）を前方回動させることによって該分草体（３７）が引起装置（３９）の上昇回動軌跡の外側へ退避する構成とする。【選択図】図６
2008295406.tif 000002
【特許請求の範囲】
【請求項１】
無限軌道帯式の走行装置（２）の上側に脱穀装置（３）を設け、該脱穀装置（３）の前側に刈取装置（６）を設け、該刈取装置（６）の前側から順に分草体（３７）と引起装置（３９）と掻込装置（４０，５３）及び刈刃装置（３５）を設け、前記引起装置（３９）を該引起装置（３９）の上部側を支点として刈取装置（６）本体に対して上昇回動可能に取り付け、前記分草体（３７）を刈取装置（６）本体に対して前方回動可能に取り付け、該分草体（３７）を前方回動させることによって該分草体（３７）が引起装置（３９）の上昇回動軌跡の外側へ退避する構成としたことを特徴とするコンバイン。
【請求項２】
前記引起装置（３９）を上昇回動位置において保持する位置保持装置（５１）を設けたことを特徴とするコンバイン。
【発明の詳細な説明】
【技術分野】
【０００１】
この発明は、コンバインに関するものである。
【背景技術】
【０００２】
特に営農団体が使用する自脱型のコンバインとして、刈取作業の能率向上のために、刈幅の拡大が望まれており、これに応えるべく、近年、刈幅を７条以上のものにしようとする試みがなされている。
【０００３】
このような多条刈のコンバインとして、特許文献１に示すような８条刈のコンバインがある。
【特許文献１】特開平１１−４６５７１号公報
【発明の開示】
【発明が解決しようとする課題】
【０００４】
しかしながら、このように刈幅を大きくした場合には、多量の穀稈が刈取装置に導入されるために、掻込装置や株元搬送装置などに詰まりを生じ易く、このような詰まりの除去作業に多大な労力を要し、刈取作業の能率が低下する問題があった。
【課題を解決するための手段】
【０００５】
この発明は、上述の如き課題を解決するために、次のような技術的手段を講じる。
即ち、請求項１記載の発明は、無限軌道帯式の走行装置（２）の上側に脱穀装置（３）を設け、該脱穀装置（３）の前側に刈取装置（６）を設け、該刈取装置（６）の前側から順に分草体（３７）と引起装置（３９）と掻込装置（４０，５３）及び刈刃装置（３５）を設け、前記引起装置（３９）を該引起装置（３９）の上部側を支点として刈取装置（６）本体に対して上昇回動可能に取り付け、前記分草体（３７）を刈取装置（６）本体に対して前方回動可能に取り付け、該分草体（３７）を前方回動させることによって該分草体（３７）が引起装置（３９）の上昇回動軌跡の外側へ退避する構成としたことを特徴とするコンバインとしたものである。
【０００６】
この構成により、分草体３７を前方回動させて引起装置３９の上昇回動軌跡の外側へ退避させ、この状態で引起装置３９を上昇回動させることによって、掻込装置４０，５３や刈刃装置３５の前側が開放され、刈取装置６内部のメンテナンスが容易に行える状態となる。
【０００７】
また、請求項２記載の発明は、前記引起装置（３９）を上昇回動位置において保持する位置保持装置（５１）を設けたことを特徴とするコンバインとしたものである。
この構成により、引起装置３９を上昇回動させてから位置保持装置５１を作用させると、引起装置３９がこの上昇位置で保持される。
【発明の効果】
【０００８】
請求項１記載の発明によると、引起装置３９を上昇回動させることによって掻込装置４０，４３や刈刃装置３５の前側を開放して、刈取装置６内部の穀稈の詰まりなどを容易に除去でき、刈取作業の能率を向上させることができる。
【０００９】
また、請求項２記載の発明によると、上記請求項１記載の発明の効果に加えて、引起装置３９を上昇位置に容易に保持できるため、刈取装置６内部の穀稈の詰まりなどを更に容易に除去でき、刈取作業の能率を向上させることができる。
【発明を実施するための最良の形態】
【００１０】
この発明におけるコンバインの実施の形態を、８条刈の自脱型コンバインを例示して説明する。
図１に示すように、コンバインの機体は、機台フレーム１の下側に走行装置２を設け、機台フレーム１の上側の左右一側に脱穀装置３を設け、該脱穀装置３に隣接して穀粒貯留装置４を設け、該穀粒貯留装置４の前側に操縦部５を設け、前記脱穀装置３の前側に刈取装置６を設けて構成する。
【００１１】
前記走行装置２は、機台フレーム１の前部に設けたミッションケース７によって駆動される左右のクローラ（無限軌道帯）８，８から構成する。前記ミッションケース７の上部には、エンジン９によって駆動される静油圧式無段変速装置１０を取り付ける。該静油圧式無段変速装置１０の出力軸から、側部伝動ギヤ機構１１を介して副変速機構１２に入力し、該副変速機構１２からセンターギヤ１３に入力し、該センターギヤ１３から左右のサイドクラッチ機構１４，１４を介して左右のホイルシャフト１５，１５を駆動し、該ホイルシャフト１５，１５によってクローラ８，８を駆動する構成とする。前記静油圧式無段変速装置１０は、操縦部５に設ける主変速レバー（図示省略）の前後傾動操作によって変速操作され、前記副変速機構１２は、操縦部に設ける副変速レバー（図示省略）の前後傾動操作によって切り換えられる構成とする。
【００１２】
前記脱穀装置３は、扱胴を内装した上側の扱室と、揺動選別棚を内装した下側の選別室とから構成する。前記扱室の側部には、刈取装置６から搬送されてくる穀稈を引き継いで扱室に供給するフィードチェン１６を設ける。尚、該脱穀装置３の後側には、排藁切断装置１７を設ける。
【００１３】
前記穀粒貯留装置４は、底面を傾斜状に形成した箱型の容器であり、脱穀装置３から一番揚穀筒（図示省略）を介して穀粒が投入される。また、該穀粒貯留装置４の底部には、底部搬送螺旋を回転自在に内装する。更に、該穀粒貯留装置４の後側には、穀粒排出装置の揚穀筒１８を立設する。該揚穀筒１８に内装される揚穀螺旋は、前記底部搬送螺旋から穀粒を引き継いで揚穀できるように連動する。また、揚穀筒１８の上端部には、横搬送螺旋を内装した横送筒（図示省略）を接続する。これら底部搬送螺旋と揚穀螺旋と横搬送螺旋とを連動して駆動することによって、穀粒貯留装置４内の穀粒が機外へ排出される構成とする。
【００１４】
前記刈取装置６は、伝動軸を内装した支持筒（支持部材）１９と、該支持筒１９の前端部に取り付けた伝動筒２３と、該伝動筒２３の左右両端部に取り付けた第一刈取装置２１および第二刈取装置２２とから構成する。
【００１５】
前記支持筒１９の後端部には、左右方向の伝動筒２３を固定し、該伝動筒２３を、ミッションケース７の上部に取り付けた懸架台２４の上部に上下回動自在に支持する。前記伝動筒２３に内装される刈取入力軸の端部には、刈取入力プーリ２５を取り付け、該刈取入力プーリ２５とミッションケース７の副変速機構１２の下手側の軸に取り付けた刈取出力プーリ２６との間に、刈取テンションベルト２７を巻き掛けて刈取クラッチを構成する。該刈取クラッチは、操縦部５に設けた刈取クラッチレバー（図示省略）の操作によって入り切りするように連繋する。２８は、機台フレーム１と支持筒１９との間にわたって取り付けた刈取昇降用シリンダであり、操縦部５に設けた操向レバー（図示省略）の前後傾動操作によって伸縮作動するように連繋する。また、前記伝動筒２３の左右方向中間部から出力軸２９を立ち上げ、該出力軸２９の上端部に取り付けた出力スプロケットによって穂先側供給搬送装置３０と株元側供給搬送装置３１とを駆動する構成とする。該穂先側供給搬送装置３０と株元側供給搬送装置３１とは、後端部を支点として前端部側が上下動し、扱深さを調節するものである。
【００１６】
そして、前記伝動筒２３の左右方向中央部よりも反操縦部側に偏倚した部位を前記支持筒１９の先端部に取り付ける。該伝動筒２３には、前記刈取入力プーリ２５から支持筒内の伝動軸を介して駆動力が伝動される横伝動軸を内装する。
【００１７】
前記第一刈取装置２１は、前記伝動筒２３の操縦部５前側に臨む側の端部に支持させる。即ち、前記伝動筒２３の端部から前方へ向けて中間伝動筒３２を延出させ、該中間伝動筒３２の前端部に下部ギヤケース３３の中央部を固定する。そして、該下部ギヤケース３３から前方へ延出するように支持フレーム３４を設け、該支持フレーム３４の前部に刈刃装置３５を取り付ける。更に、前記支持フレーム３４の前部から所定の左右間隔をおいて５本の分草杆３６を前方へ向けて延設し、該分草杆３６の延設端部に分草体３７を取り付ける。但し、この第一刈取装置２１の最も機体中央寄りの分草杆３６には、分草体３７を取り付けない。また、前記分草杆３６の前後方向中間部と、前記下部ギヤケース３３から立ち上げた引起伝動筒３８の上端部とによって４基の引起装置３９を支持する。更に、前記下部ギヤケース３３から立ち上げた伝動筒の上端部に、スターホイル４０と掻込ラグベルト４１とを駆動できるように支持する。また、前記中間伝動筒３２の前後方向中間部位から刈幅の内側へ向けて伝動筒４２を延設し、該伝動筒４２の先端部から株元駆動スプロケット４３を駆動する構成とし、該株元駆動スプロケット４３と左右一側のスターホイル４０と同軸の従動スプロケットとにわたって短尺の株元搬送チェン４３を巻き掛ける。更に、左右他側のスターホイル４０と、前記支持筒１９の下部から駆動する駆動スプロケット４４とにわたって長尺の株元搬送チェン４５を巻き掛ける。
【００１８】
前記第二刈取装置２２は、上記第一刈取装置２１と左右対称状に構成するが、中間伝動筒３２を伝動筒２３の端部に対して縦軸４６を中心として側方回動自在に取り付けた点で相違する。また、長尺の株元搬送チェン４５を中間伝動筒３２の基部側（縦軸４６寄りの部位）に支持した駆動スプロケット４４に巻き掛ける点で相違する。更に、この第二刈取装置２２の最も機体中央寄りの分草杆３６にも分草体３７を取り付ける。尚、該第二刈取装置２２は、前記縦軸４６部の軸着を解除して、伝動筒２３の端部から取り外すことができる構成とする。
【００１９】
該分草体３６は、図５に示すように、引起装置３９よりも前側の分草杆３６の部位に、左右方向の横軸４７によって上下回動自在に軸着して取り付ける。この分草体３６の上下回動を適宜の位置で固定できる装置を設けるとよい。この構成により、分草体３６は、後上がり傾斜した作業姿勢から、略直立したメンテナンス姿勢に姿勢変更可能となる。
【００２０】
また、該第二刈取装置２２の最も機体中央寄りの分草杆３６において、分草体３６と引起装置３９との間の部位と、引起装置３９の後側の部位とに、ロック用のフック（連結部材）４８，４８を上下回動自在に軸着して取り付ける。該フック４８，４８にはロック解除操作用のレバー４９，４９が一体的に取り付けられている。尚、前記フック４８，４８は、トルクスプリングによって下方回動付勢されている。
【００２１】
更に、該第二刈取装置２２の下部ギヤケース３３の機体中央側端部には、ロック用のフック（連結部材）４８を横向き回動自在に軸着して取り付ける。該フック４８にもロック解除操作用のレバー４９が一体的に取り付けられ、トルクスプリングによって係合方向に付勢されている。
【００２２】
しかして、前記第二刈取装置２２を機体前方へ回動させ、該第二刈取装置２２側の下部ギヤケース３３の端面と第一刈取装置２１側の下部ギヤケース３３の端面とが接合し、第二刈取装置２２側の最も機体中央寄りの分草杆３６と第一刈取装置２１側の最も機体中央寄りの分草杆３６とが平行に並ぶ状態で、前記第二刈取装置２２側のフック４８，４８，４８が、図２および図４に示すように、第一刈取装置２１側の分草杆３６と下部ギヤケース３３の端部に設けた被係合部５０とに係合し、４条刈の第一刈取装置２１と４条刈の第二刈取装置２２とが一体化して、８条刈の刈幅を有する刈取装置３が形成される。これによって、刈取作業の能率を向上させることができる。また、このように第一刈取装置２１の分草杆３６と第二刈取装置２２の分草杆３６とを連結するフック４８，４８が分草体３６の後側に配置されるために、刈取作業時においてこのフック４８，４８に穀稈が引っ掛かりにくく、刈取作業を円滑に行うことができる。また、フック４８，４８，４８を連結解除して第一刈取装置２１と第二刈取装置２２とを分離し、第二刈取装置２２を側方回動させることによって、この第一刈取装置２１および第二刈取装置２２の内部のメンテナンスを容易に行うことができる。また、第二刈取装置２２を完全に取り外すことによって幅を小さくし、このコンバインと取り外した第二刈取装置２２とを輸送用トラックの荷台へ容易に積載することができる。また、分草杆３６を下方回動させることによってフック４８，４８の連結操作および連結解除操作が行ない易くなり、刈取作業からコンバインの輸送作業への移行が短時間で行えて、輸送作業を含めた作業能率の向上を図ることができる。
【００２３】
図６に示すように、引起装置３９を、その上部の横伝動軸の軸心Ｐを中心として上昇回動可能に構成する。引起作業位置での位置保持は、分草杆３６に設けたフック５０によって引起装置３９の背面側下部を係止する構成である。このフック５０による係止を解除すると、引起装置３９が上昇回動可能な状態となる。そして、引起装置３９を手動操作で上昇回動させた後、該引起装置３９の背面側に折り畳んで収納していた屈折リンク式の位置保持装置５１を支点越えさせて伸長させることにより、この引起装置３９を上昇回動位置で支える構成である。尚、前記位置保持装置５１は、上側リンク５１ａと下側リンク５１ｂとを回動自在に連結して構成する。また、分草体３７は、その前後方向中間部の背面側を分草杆３６の先端部に対して左右方向の軸芯Ｑ周りに回動可能に取り付け、手動操作によって前後回動するように構成する。これにより、分草体３７を前方回動させれば、該分草体３７が引起装置３９の上昇回動軌跡Ｘから外側に退避し、該分草体３７と引起装置３９とが干渉しなくなる。
【００２４】
また、図７に示すように、分草体３７を支持する所定長さの前部分草杆３６ａを設け、該前部分草杆３６ａの後端部を分草杆３６の前端部に左右方向の軸芯Ｒ周りに軸着して取り付けてもよい。これにより、分草体３７を前方回動させた際に、この分草体３７を引起装置３９の上昇回動軌跡Ｘからより大きく退避させることができる。
【００２５】
また、図８、図９に示すように、縦引起装置５２を引起装置３９と一体で上昇回動するように構成したものである。この場合、引起装置３９と縦引起装置５２とを所定長の前側分草杆３６ｂに一体的に取り付けて上昇回動可能とする構成である。
【００２６】
尚、５３はラグベルト式の掻込装置である。
また、図１０、図１１に示すように、４基の引起装置３９を一体的に上昇回動させられるように構成してもよい。このように構成すれば、８条刈の刈幅を有する刈取装置であっても、４条分の引起装置３９を一体的に上昇回動させて開放できるため、刈取装置内部のメンテナンスを容易に行うことができる。また、このように刈取装置６を左右方向に２分割して開放する構成をも備えるため、刈取装置内部のメンテナンスを更に容易に行うことができる。
【００２７】
また、図１２、図１３に示すように、８基の全ての引起装置３９を一体的に上昇回動させらるように構成してもよい。このように構成することによって、多条刈の刈取装置のメンテナンスを容易に行えるようになり、刈取作業の能率を向上させることができる。
【図面の簡単な説明】
【００２８】
【図１】コンバインの説明用平面図。
【図２】コンバインの説明用平面図。
【図３】コンバインの説明用側面図。
【図４】一部の説明用正面図。
【図５】一部の説明用側面図。
【図６】コンバインの前部の説明用側面図。
【図７】コンバインの説明用側面図。
【図８】コンバインの説明用側面図。
【図９】コンバインの説明用側面図。
【図１０】コンバインの説明用平面図。
【図１１】コンバインの説明用正面図。
【図１２】コンバインの説明用側面図。
【図１３】コンバインの説明用正面図。
【符号の説明】
【００２９】
２  走行装置
３  脱穀装置
６  刈取装置
３６  分草杆
３７  分草体
４０  スターホイル（掻込装置）
５１  位置保持装置
５３  掻込装置
【図１】
2008295406.tif 000003
【図２】
2008295406.tif 000004
【図３】
2008295406.tif 000005
【図４】
2008295406.tif 000006
【図５】
2008295406.tif 000007
【図６】
2008295406.tif 000008
【図７】
2008295406.tif 000009
【図８】
2008295406.tif 000010
【図９】
2008295406.tif 000011
【図１０】
2008295406.tif 000012
【図１１】
2008295406.tif 000013
【図１２】
2008295406.tif 000014
【図１３】
2008295406.tif 000015